(57)【特許請求の範囲】
【請求項１】
雨水桝の底板部に形成された貫通穴と、
この貫通穴に上端側が挿通され、全長は少なくとも４０ｃｍ以上の長さを有してなるとともに、上記雨水桝に流入した雨水を地中に浸透させるべく通水性を有する中空状又は柱状のドレーン材と、
を備え、
上記雨水桝内には、該雨水桝の内壁の全部又は一部に空間を有して対向する縦板部と、この縦板部の下端から該雨水桝の底板部に空間を有して対向する横板部とを備え通水性を有する第１のフィルタ部材が配置され、上記ドレーン材の上端は、上記第１のフィルタ部材を構成する横板部の下方に位置してなることを特徴とする雨水桝の施工構造。
【請求項２】
前記第１のフィルタ部材を構成する縦板部と前記雨水桝の内壁との間及び／又は該第１のフィルタ部材を構成する横板部と上記雨水桝の底板部との間には、通水性を有する第２のフィルタ部材が配置されてなることを特徴とする請求項１記載の雨水桝の施工構造。
【請求項３】
前記第２のフィルタ部材は、布状の被覆部材により包まれてなることを特徴とする請求項２記載の雨水桝の施工構造。
【発明の詳細な説明】
【技術分野】
【０００１】
本発明は、雨水が内部に流入する雨水桝の施工構造に関し、特に、雨水を地中に浸透させることが可能な雨水桝の施工構造に関するものである。
【背景技術】
【０００２】
本来の地表は土類により形成され、雨水は地中内に浸透されるとともに、一部が河川や湖沼等に一時的に流入していたが、舗装化により雨水が地中へ浸透されず降雨の際に舗装路等が冠水することを防止するため、舗装された道路や施設内に雨水を集水する雨水桝を設置し、この雨水桝から排水管を経由して雨水本管や下水管等に送水して排水していた。ところが、この施工構造では雨水が地中に浸透しないことから、河川等に流入する地下水が減少し浄化能力の悪化による水質汚濁の原因になっているとともに、飲料等に利用される地下水源や樹木等への補給水が枯渇する原因となっていた。これらの対策として、雨水桝内に流入した雨水を地中に浸透させることを目的とした雨水桝の施工構造が提案されている（特許文献１参照）。この特許文献１に開示された雨水桝の施工構造は、側壁に配置された排水管の他に、雨水桝の底板部に貫通穴が形成され、この貫通穴の下方に通水可能な穴を有したフィルタ材（ドレーン材）が配置されてなり、このドレーン材を介して雨水桝内に流入した雨水を地中に浸透させるものである。
【特許文献１】特許第３９３２０５３号公報
【発明の開示】
【発明が解決しようとする課題】
【０００３】
しかしながら、上記特許文献１に開示された従来の雨水桝の施工構造では、ドレーン材は雨水桝の底板部を貫通してその下方の地中に埋設されるが、このドレーン材の周囲又は直下に粘土層等の不透水層が存在する場合には、雨水桝内に流入した雨水は地表から前記不透水層まで間には浸透しても、前記不透水層よりも下方の地層には雨水が浸透しない。このため、地表近くに不透水層が存在する場合には、雨水が地中深く浸透しないことから浸透率が低下し、河川等に流入する地下水が減少して水質汚濁の原因になるとともに、樹木等や飲料等に利用される地下水源への補給水が枯渇する原因となっていた。
【０００４】
そこで、本発明は、上述した従来の発明が有する課題を解決するために提案されたものであって、雨水桝内に流入した雨水を地中深く浸透させることができる雨水桝の施工構造を提供することを目的とするものである。
【課題を解決するための手段】
【０００５】
本発明は上記の課題を解決するために提案されたものであって、雨水桝の底板部に形成された貫通穴と、この貫通穴に上端側が挿通され、全長は少なくとも４０ｃｍ以上の長さを有してなるとともに、上記雨水桝に流入した雨水を地中に浸透させるべく通水性を有する中空状又は柱状のドレーン材と、を備え、上記雨水桝内には、該雨水桝の内壁の全部又は一部に空間を有して対向する縦板部と、この縦板部の下端から該雨水桝の底板部に空間を有して対向する横板部とを備え通水性を有する第１のフィルタ部材が配置され、上記ドレーン材の上端は、上記第１のフィルタ部材を構成する横板部の下方に位置してなることを特徴とするものである。
【０００６】
この第１の発明によれば、ドレーン材の長さが４０ｃｍ以上有してなることから、雨水桝が埋設された下層に粘土層等の不透水層が形成されていても、この不透水層を通過して、その下層に形成された砂質土層等の透水層にドレーン材を埋設し、雨水桝内に流入した雨水を地中深く浸透させことにより浸透率の高い雨水桝の施工構造を構成することができる。このため、地表近くに不透水層が存在する場合であっても、雨水が地中深く浸透して雨水の浸透率が向上し、河川等に流入する地下水の減少による水質汚濁を防止するとともに、樹木等や飲料等に利用される地下水源への補給水が枯渇することを防止することができる。
【０００７】
なお、この発明を構成するドレーン材は、中空状又は柱状をなし、雨水桝内の雨水が通過可能な通水性を有していれば、その材料，形状，構造及び寸法等は特に限定されるものではないとともに、これまで使用されてきた公知のドレーンパイプを使用することができる。また、このドレーン材の素材としては、塩化ビニル，ポリエチレン，ポリエチレンテレフタレート等の合成樹脂や、鉄，銅，アルミニウム等の金属、さらには、コンクリート，セメント，ガラス，セラミック等であっても良いし、複数の材料からなるＦＲＰ管，積層管をこのドレーン材として使用しても良い。また、このドレーン材の形状は、断面円形状であることが好ましいが、使用目的や要求性能によっては、例えば、断面角形のものや、楕円形，長円形などのように、円形以外の断面形状を有するものであっても良い。
【０００８】
また、ドレーン材に通水性を付与するには、材料自体に通水性を有するものを使用するほか、ドレーン材の製造時あるいは製造後に通水用又は透水用の孔等を形成したものであっても良い。例えば、合成樹脂の連続発泡体や発泡セラミックのような多孔質材料は、材料そのものが通水性を有しており、こうした材料（素材）を用いてドレーン材を成形しても良い。また、粒子材料や繊維材料或いは線材料を、ある程度の隙間を空けた状態で集積させて一体結合すれば、得られた成形体は通水性を有することから、こうした工程により成形されたドレーン材を使用することもできる。或いは、線材料を網状に組み合わせたものを筒状に成形し、ドレーン材とすることもできる。さらに、このドレーン材は、棒材で組み立てられた枠に、網布状の材料を貼り付けて、管強度と通水性を確保したものとすることもできるし、他には、管状の成形体に、ドリルなどで多数の小孔をあけて通水性を付与することもできる。或いは、パンチングメタルを筒状に成形したドレーン材を使用することもできる。なお、本発明を構成するドレーン材に有する通水空間は、通水性は有していても、土砂等などが流入し難いことが望ましい。また、地中に埋設するドレーン材の施工全長を、１本のドレーン材のみで施工することもできるが、短いドレーン材を複数本継ぎ足して使用することもできる。定尺のドレーン材を必要な本数だけ継ぎ足せば、広い範囲の施工条件に対応させることができる。すなわち、ドレーン材の長さが４０ｃｍであれば、不透水層よりも下方まで届く場合が多く、該不透水層より下方に届かない場合には、長尺な単一のドレーン材を使用するか或いは複数のドレーン材を使用すれば良く、ドレーン材の最長長さは、このドレーン材を施工する地層の状態に応じたものとなるが、約２ｍの長さとすれば不透水層を超える場合が多い。
【００１１】
また、この第１の発明では、上記雨水桝内には、該雨水桝の内壁の全部又は一部に空間を有して対向する縦板部と、この縦板部の下端から該雨水桝の底板部に空間を有して対向する横板部とを備え通水性を有する第１のフィルタ部材が配置され、上記ドレーン材の上端は、上記第１のフィルタ部材を構成する横板部の下方に位置している。
【００１２】
したがって、この発明によれば、第１のフィルタ部材と雨水桝の内壁又は底板部との間には空間を有してなることから、雨水桝内に土砂等が流入し上記ドレーン材の上方に土砂等が堆積しても該ドレーン材を閉塞することを防止することができる。すなわち、雨水桝内に土砂等が流入しても、その土砂等は、ドレーン材に直接流入することなく通水性を有する前記横板部上に堆積し、雨水桝内の雨水は、土砂等が堆積していない前記縦板部の上部と雨水桝の内壁との間の空間から前記横板部と雨水桝の底板部との間の空間を経てドレーン材に通水することから、土砂等によりドレーン材内への雨水の通水が阻止されることなく、長期間に亘って雨水を地中深くまで浸透させることができる。
【００１３】
したがって、この発明によれば、従来の雨水桝の施工構造のように、雨水桝内の土砂等を頻繁に取り除く作業が不要となるとともに、ドレーン材の清掃や取替え作業が減少できる。特に、前記縦板部の長さを雨水桝の上端近傍にまで形成した場合には、雨水桝内に堆積する土砂等の堆積許容量を多くすることができるので、土砂等を取り除く頻度をさらに減少することができる。また、前記第１のフィルタ部材を上端開口の桝状に形成した場合には、堆積した土砂等を該桝状の第１のフィルタ部材内に留めた状態で雨水桝の外へ取り出すことができることから、雨水桝内に堆積した土砂等を取り除く作業が生じた場合であっても、大きく屈む必要はなく、簡単迅速に作業することが可能となる。
【００１４】
また、第２の発明（請求項２記載の発明）は、上記第１の発明において、前記第１のフィルタ部材を構成する縦板部と前記雨水桝の内壁との間及び／又は該第１のフィルタ部材を構成する横板部と上記雨水桝の底板部との間には、通水性を有する第２のフィルタ部材が配置されてなることを特徴とするものである。
【００１５】
この第２の発明によれば、前記第１のフィルタ部材と雨水桝との間に通水性を有する第２のフィルタ部材が配置されてなることにより、雨水桝内に流入した雨水は、前記第１のフィルタ部材からドレーン材に直接流入することなく、この第２のフィルタ部材を経てドレーン材に流入することから、雨水桝内に土砂等が流入しても、ドレーン材に土砂等が堆積されず、ドレーン材の内部に堆積した土砂等を取り除く作業が不要となるとともに、長期間に亘って雨水を地中深くまで浸透させることができる。
【００１６】
なお、この発明に係る第２のフィルタ部材は、少なくともＬ字形状をなし、雨水桝内の雨水が通過可能な通水性を有していれば、その材料，形状，構造及び寸法等は特に限定されるものではない。また、この第２のフィルタ部材の素材としては上記ドレーン材と同様の素材から選択すれば良い。また、この第２のフィルタ部材の形状は、前記第１のフィルタ部材の縦板部に対応する縦フィルタ部と横板部に対応する横フィルタ部とでなる少なくともＬ字形状をなしたものであるが、縦フィルタ部は、前記雨水桝の複数の内壁と対応するようにしたほうが縦フィルタ部の通水性が増すことから好ましい。また、この第２のフィルタ部材に通水性を付与するには、上記ドレーン材と同様に、材料自体に通水性を有するものを使用するほか、第２のフィルタ部材の製造時あるいは製造後に通水用又は透水用の孔等を形成したものであっても良い。
【００１７】
また、第３の発明（請求項３記載の発明）は、上記第２の発明において、前記第２のフィルタ部材は、布状の被覆部材により包まれてなることを特徴とするものである。
【００１８】
この第３の発明によれば、前記第２のフィルタ部材は、布状の被覆部材により包まれていることから、雨水桝内に土砂等が流入しても被覆部材により第２のフィルタ部材に目詰まりを生ずることが緩和され、第２のフィルタ部材の内部に堆積した土砂等を取り除く作業が不要となるとともに、長期間に亘って雨水を地中深くまで浸透させることができる。なお、被覆部材の素材は特に限定されるものではなく、植物繊維、動物繊維、樹脂繊維等の織布又は不織布等から選択することができる。
【発明の効果】
【００１９】
第１の発明（請求項１記載の発明）では、ドレーン材の長さが４０ｃｍ以上有してなることから、雨水桝が埋設された下層に粘土層等の不透水層が形成されていても、この不透水層を通過してドレーン材を埋設することにより、雨水が地中深く浸透して雨水の浸透率を向上し、河川等に流入する地下水の減少による水質汚濁を防止するとともに、樹木等や飲料等に利用される地下水源への補給水が枯渇することを防止することができる。すなわち、舗装による自然環境の悪化を防止するとともに改善を図ることができる。
【００２１】
また、この発明では、第１のフィルタ部材と雨水桝の内壁又は底板部との間には空間を有してなることから、雨水桝内に土砂等が流入し上記ドレーン材の上方に土砂等が堆積しても該ドレーン材を閉塞することを防止することができる。すなわち、雨水桝内に土砂等が流入しても、その土砂等は、ドレーン材に直接流入することなく通水性を有する前記横板部上に堆積し、雨水桝内の雨水は、土砂等が堆積していない前記縦板部の上部と雨水桝の内壁との間の空間から前記横板部と雨水桝の底板部との間の空間を経てドレーン材に通水することから、土砂等によりドレーン材内への雨水の通水が阻止されることなく、長期間に亘って雨水を地中深くまで浸透させることができる。したがって、従来の雨水桝の施工構造のように、雨水桝内の土砂等を頻繁に取り除く作業が不要となるとともに、ドレーン材の清掃や取替え作業が減少できることから、メンテナンスコストを削減することができる。
【００２２】
また、第２の発明（請求項２記載の発明）では、前記第１のフィルタ部材と雨水桝との間に通水性を有する第２のフィルタ部材が配置されてなることにより、雨水桝内に流入した雨水は、前記第１のフィルタ部材からドレーン材に直接流入することなく、この第２のフィルタ部材を経てドレーン材に流入することから、雨水桝内に土砂等が流入しても、ドレーン材に土砂等が堆積されず、ドレーン材の内部に堆積した土砂等を取り除く作業が不要となり、メンテナンスコストを削減することができるとともに、長期間に亘って雨水を地中深くまで浸透させることができる。
【００２３】
また、第３の発明（請求項３記載の発明）では、前記第２のフィルタ部材は、布状の被覆部材により包まれていることから、雨水桝内に土砂等が流入しても被覆部材により第２のフィルタ部材に目詰まりを生ずることが緩和され、第２のフィルタ部材の内部に堆積した土砂等を取り除く作業が不要となりメンテナンスコストを削減することができるとともに、長期間に亘って雨水を地中深くまで浸透させることができる。
【発明を実施するための最良の形態】
【００２４】
以下、本発明の一実施の形態に係る雨水桝の施工構造について、図面を参照しながら詳細に説明する。先ず、第１の実施の形態に係る雨水桝の施工構造に付いて詳細に説明する。
【００２５】
この第１の実施の形態に係る雨水桝の施工構造は、図１又は図３に示すように、地中に埋設され雨水を集水する雨水桝１と、この雨水桝１内に配置され該雨水桝１内の雨水を濾過して通水する第１のフィルタ部材１２及び第２のフィルタ部材１５により構成されるフィルタ体１１と、上記雨水桝１の底板部２に挿通されるとともに地中に埋設され上記フィルタ体１１により濾過された雨水をさらに濾過して地中に通水するドレーン材２１と、このドレーン材２１の下端部を保護するキャップ２５と、上記雨水桝１内の雨水を雨水本管、下水管等に送水する排水管２７と、上記雨水桝１の上端部を覆う上蓋２８とから構成されている。
【００２６】
上記雨水桝１は、図１又は図２に示すように、コンクリートを素材として底板部２と側板部３，４，５，６とから雨水を貯留する一体的な桝状に成形されてなり、底板部２の略中央部には後述するドレーン材２１を挿通可能な貫通穴２ａが形成され、側板部６の略中央部には後述する排水管２７を挿入する排水穴６ａが形成されるとともに、側板部３，４，５，６の上端部の内側には環状突出部７が突設され後述する上蓋２８を挿入する開口７ａと該上蓋２８を載置する受け部７ｂとが形成されている。また、上蓋２８は、金属を素材として前記雨水桝１の開口７ａに挿入可能な四角形板状に成形され、舗装部Ｋの上面から流入する雨水を通水する通水穴２８ａが多数形成されている。また、排水管２７は、金属や樹脂等を素材として排水穴２７ａを有するパイプ状に成形され、一端部が上記雨水桝１の排水穴６ａに挿通されているとともに、他端は図示しない雨水本管、下水管等に接続されている。そして、上蓋２８の通水穴２８ａから雨水桝１内に流入した雨水が排水管２７の排水穴２７ａに達した場合には、その雨水は、該排水穴２７ａを経て雨水本管、下水管等に排水される。
【００２７】
この雨水桝１に配置されるフィルタ体１１は、図１，２又は図３に示すように、第１のフィルタ部材１２と第２のフィルタ部材１５とから構成され、一方の第１のフィルタ部材１２は、雨水桝１の底板部２に空間を有して対向する横板部１３と、この横板部１３上に立設され雨水桝１の側板部３に空間を有して対向する縦板部１４とからなり、ＡＢＳ樹脂により一体的なＬ字状に成形されている。これら横板部１３と縦板部１４とには、雨水桝１内の土砂や異物を濾過して雨水を通水可能な多数の通水穴１３ａ，１４ａがそれぞれ形成されている。なお、この第１のフィルタ部材１２の素材は、上記ＡＢＳ樹脂に限定されるものではなく、他の樹脂や金属等により成形しても良い。そして、この第１のフィルタ部材１２では、該第１のフィルタ部材１２と雨水桝１の底板部２及び側板部３との間には空間を有してなることから、雨水桝１内に土砂等が流入し後述する第２のフィルタ部材１５の横フィルタ部１６やドレーン材２１の上方に土砂等が堆積しても、該横フィルタ部１６又はドレーン材２１を閉塞することを防止することができる。すなわち、雨水桝１内に土砂等が流入しても、その土砂等は、前記横フィルタ部１６に直接流入することなく通水穴１３ａを有する横板部１３上に堆積し、雨水桝１内の雨水は、土砂等が堆積していない縦板部１４に形成された通水穴１４ａの上部から第２のフィルタ部材１５の縦フィルタ部１８を経て後述するドレーン材２１に通水することから、土砂等により第２のフィルタ部材１５やドレーン材２１への雨水の流入が阻止されることなく、長期間に亘って雨水を地中深くまで浸透させることができる。
【００２８】
なお、この第１のフィルタ部材１２から通水される雨水の経路は、雨水桝１内に集水された雨水が横板部１３上に達していない場合には、横板部１３の通水穴１３ａから後述する第２のフィルタ部材１５の被覆材１７を経て横フィルタ部１６に通水される。また、雨水が横板部１３より上に達した場合には、横板部１３の通水穴１３ａから被覆材１７を経て横フィルタ部１６に通水されるとともに、縦板部１４の通水穴１４ａから被覆材１９を経て縦フィルタ部１８に通水される。また、横板部１３上に土砂等が堆積している場合には、縦板部１４の通水穴１４ａから被覆材１９を経て縦フィルタ部１８に通水される。また、上記縦板部１４の構成は、側板部３に対向するものに限定されず、側板部３，４，５，６のうちの何れか一つに対向していれば良いとともに、複数の側板部に対向する構成（なお、縦板部１４が全ての側板部３，４，５，６に対向する構成である場合は、第１のフィルタ部材１２は、上端開口の桝状に形成される）であっても良い。また、この第１のフィルタ部材１２を上端開口の桝状に形成した場合には、雨水桝１内に堆積した土砂等を取り除く作業が生じた場合において、堆積した土砂等を該桝状の第１のフィルタ部材１２内に留めた状態で雨水桝１の外へ取り出すことができることから、大きく屈む必要がないとともに、簡単迅速に作業することができる。
【００２９】
また、フィルタ体１１を構成する他方の第２のフィルタ部材１５は、図１，２又は図３に示すように、上記第１のフィルタ部材１２を構成する横板部１３と雨水桝１の底板部２との間に挟入された横フィルタ部１６と、この横フィルタ部１６を包むように被覆する被覆材１７と、横フィルタ部１６上面に載置されるとともに、上記第１のフィルタ部材１２を構成する縦板部１４と雨水桝１の側板部３との間に挟入された縦フィルタ部１８と、この縦フィルタ部１８を包むように被覆する被覆材１９とから構成されている。これらのうち横フィルタ部１６は、図１（ｂ）に示すように、ポリエチレンを素材として断面円形に形成された多数の網部１６ａが隣接して配置され、これら網部１６ａの一定間隔位置には、隣接する網部１６ａ同士が接続された多数の接続部１６ｂを有するとともに、各網部１６ａと各接続部１６ｂとを除く部位の空間には、土砂や異物を濾過して雨水を通水可能な多数の通水穴１６ｃが形成されて、全体として通水性を有する板状に成形されている。この横フィルタ部１６を包むように被覆する被覆材１７は、前記横フィルタ部１６の通水穴１６ｃよりも微細で通水可能な多数の通水隙間（符号は省略する）を有した不織布によりシート状に形成されてなり、該横フィルタ部１６の全外周に複数層に亘って被覆されるとともに図示しない端部が接着されている。
【００３０】
また、もう一方の縦フィルタ部１８は、上記横フィルタ部１６と同様であって、図１（ｂ）に示すように、ポリエチレンを素材としてなる多数の網部１８ａと、これら網部１８ａが接続された多数の接続部１８ｂと、土砂や異物を濾過して雨水を通水可能な多数の通水穴１８ｃとからなり、全体として通水性を有する板状に成形されている。この縦フィルタ部１８を包むように被覆する被覆材１９は、前記縦フィルタ部１８の通水穴１８ｃよりも微細で通水可能な多数の通水隙間（符号は省略する）を有した不織布によりシート状に形成されてなり、該縦フィルタ部１８の全外周に複数層に亘って被覆されるとともに図示しない端部が接着されている。なお、上記横フィルタ部１６と縦フィルタ部１８とは、一体的なＬ字状に成形されていても良い。
【００３１】
そして、この第２のフィルタ部材１５では、前記第１のフィルタ部材１２と雨水桝１との間に通水性を有して配置されているので、雨水桝１内に流入した雨水は、前記第１のフィルタ部材１２から後述するドレーン材２１に直接流入することなく、この第２のフィルタ部材１５の上記通水隙間（符号は省略する）及び多数の通水穴１６ｃ，１８ｃによりさらに濾過してドレーン材２１に通水されることから、雨水桝１内に土砂等が流入しても、ドレーン材２１には土砂等が堆積されない。なお、第２のフィルタ部材１５を構成する横フィルタ部１６及び縦フィルタ部１８の素材は、上記ポリエチレンに限定されるものではなく、他の樹脂や金属等により成形しても良い。また、この第２のフィルタ部材１５の形状は、前記第１のフィルタ部材１２の縦板部１４に対応する縦フィルタ部１８と横板部１３に対応する横フィルタ部１６とでなる少なくともＬ字形状をなしたものであるが、縦フィルタ部１８を雨水桝１の複数の内壁と対応するように構成することにより、通水性を増すことができる。
【００３２】
また、上記雨水桝１の底板部２に挿通されるドレーン材２１は、図１に示すように、ドレーン本体２２と該ドレーン本体２２を包むように被覆する被覆材２３とからなり、雨水桝１の底板部２に形成された貫通穴２ａから挿通して、上端が雨水桝１の底板部２の上面と略同一面となるとともに、その下方部が地中に埋設されている。これらのうち、ドレーン本体２２は、図１（ｃ）に示すように、ポリエチレンを素材として断面円形に形成された網部２２ａが隣接して配置され、これら網部２２ａの一定間隔位置には、隣接する網部２２ａ同士が接続された多数の接続部２２ｂを有するとともに、各網部２２ａと各接続部２２ｂとを除く部位の空間には、土砂や異物を濾過して雨水を通水可能な多数の通水穴２２ｃが形成されて、全体として円筒状の長さが４０ｃｍ以上に成形されている。なお、このドレーン本体２２の形状は、円筒状に限定されるものではなく、円柱状であっても良い。また、他方の被覆材２３は、前記ドレーン本体２２の通水穴２２ｃよりも微細で通水可能な多数の通水隙間（符号は省略する）を有した不織布によりシート状に形成されてなり、上記ドレーン本体２２の全外周に複数層に亘って包むように被覆されるとともに、端部２３ａが接着されている（図５参照）。
【００３３】
そして、このドレーン材２１では、長さが４０ｃｍ以上有してなることから、図１に示すように、雨水桝１が埋設された下層の地層Ｍに粘土層等の不透水層が形成されていても、この不透水層を通過して、その下層に形成された砂質土層等の透水層である地層Ｎにドレーン材２１を埋設することにより、上記第２のフィルタ部材１５から通水された雨水は、このドレーン材２１を構成するドレーン本体２２の通水穴２２ｃ及び被覆材２３の通水隙間によりさらに濾過して地中深く浸透される。したがって、このドレーン材２１の全長はできるだけ長くすることが好ましい。なお、このドレーン材２１の全長の形態は、１本の全長が４０ｃｍ以上に成形されていても良いが、１本の全長が４０ｃｍよりも短くても複数本により４０ｃｍ以上に構成されていれば良い。そして、地中に埋設されるドレーン材２１の全長は、施工される埋設穴Ｈの深さに対応する長さに設定すれば良い。また、複数本のドレーン材２１により構成する場合における継足し部は、接着しても良いし、単に当接させるだけでも良い。
【００３４】
また、上記ドレーン材２１の下端部に装着されるキャップ２５は、図１（ｃ）に示すように、ポリエチレンを素材として断面円形に形成された網部２５ａが隣接して配置され、これら網部２５ａの一定間隔位置には、隣接する網部２５ａ同士が接続された多数の接続部２５ｂを有するとともに、各網部２５ａと各接続部２５ｂとを除く部位の空間には、土砂や異物を濾過して雨水を通水可能な多数の通水穴２５ｃが形成されて、全体としてカップ状に成形されている。そして、このキャップ２５では、上記ドレーン材２１から通水された雨水が通水穴２５ｃを経て地中に浸透される。なお、上記ドレーン材２１には、このキャップ２５の他に、該ドレーン材２１の上端に図５に示すキャップ２４を装着しても良い。このキャップ２４には、網部、接続部及び各網部と各接続部とを除く部位の空間が形成されているが、キャップ２５と同様の構成であるため詳細な説明は省略する。また、これらのキャップ２４又は２５は、地中に掘削された埋設穴Ｈにドレーン材２１を埋設する際に、該ドレーン材２１の上端部又は下端部を保護するものであって必需のものではない。
【００３５】
そして、上記第１の実施の形態に係る雨水桝の施工構造は、雨水桝１が既設又は新設の何れの場合であっても施工することができる。例えば、図１に示す雨水桝１が地層Ｌに埋設された既設の場合には、先ず、図示しないコンクリート穴あけ工具により、既設の雨水桝１の底板部２に少なくともドレーン材２１を挿通可能な貫通穴２ａを形成し、この貫通穴２ａの下方の地中にドレーン材２１及びキャップ２５を埋入可能な深さの埋設穴Ｈを掘削する。この埋設穴Ｈが掘削された後、底板部２の貫通穴２ａからドレーン材２１及びキャップ２５を挿通して、前記ドレーン材２１の上端が雨水桝１の底板部２の上面と略同一面となるように該ドレーン材２１及びキャップ２５を埋設穴Ｈ内に埋入する。そして、上記ドレーン材２１及びキャップ２５が地中に埋設された後、図１，２又は図３に示す雨水桝１内の底板部２上に被覆材１７により被覆された横フィルタ部１６を載置し、この横フィルタ部１６の上面であって雨水桝１の側板部３の内面と当接する位置に被覆材１９により被覆された縦フィルタ部１８を載置するとともに、これら横フィルタ部１６と縦フィルタ部１８とに内接するようにして第１のフィルタ部材１２を載置した後、雨水桝１の受け部７ｂ上に上蓋２８を載置する。その結果、本第１の実施の形態に係る雨水桝の施工構造が構成される。
【００３６】
なお、底板部２に形成する貫通穴２ａの直径は、下端側のキャップ２５部分が直径方向に圧縮できることから、少なくともドレーン材２１を挿入可能な直径が形成されていれば挿通することができる。また、ドレーン材２１を埋入する埋設穴Ｈの深さは、地層の形態により変化し、例えば、地層Ｌの下層の地層Ｍが粘土層等の不透水層である場合には雨水が浸透されないことから、さらに下層の砂質土層等の透水層である地層Ｎに到達するとともに、該地層Ｎの上層部からキャップ２５の下端までの深さが少なくとも約３０ｃｍの深さまで掘削することが好ましい。また、このドレーン材２１の全長の形態は、１本の全長が４０ｃｍ以上に成形されていても良いが、１本の全長が４０ｃｍよりも短くても複数本により４０ｃｍ以上に構成されていれば良い。そして、地中に埋設されるドレーン材２１の全長は、施工される埋設穴Ｈの深さに対応する長さに設定すれば良い。また、複数本のドレーン材２１により構成する場合における継足し部は、接着しても良いし、単に当接させるだけでも良い。また、上記第１の実施の形態におけるフィルタ体１１は、雨水桝１内に第１のフィルタ部材１２のみを配置して構成することもできる。この場合には、該第１のフィルタ部材１２を構成する横板部１３及び縦板部１４と雨水桝１の内壁との間には空間を有することが必要であることから、横板部１３の一部と雨水桝１の底板部２との間、及び縦板部１４の一部と雨水桝１の側板部３との間に前記空間を形成するための支柱（スペーサ）が必要である。
【００３７】
次に、上記第１の実施の形態に係る雨水桝の施工構造の作用について説明する。図１において、降雨による雨水は、舗装部Ｋの上面から上蓋２８の通水穴２８ａを経て雨水桝１内に集水され、該雨水桝１内の第１のフィルタ部材１２を構成する横板部１３の通水穴１３ａ、第２のフィルタ部材１５を構成する被覆材１７の通水隙間（符号は省略する）及び横フィルタ部１６の通水穴１６ｃを経てドレーン材２１に通水される。このドレーン材２１に通水された雨水は、該ドレーン材２１を構成するドレーン本体２２の下方の通水穴２２ｃ、被覆材２３の通水隙間（符号は省略する）及びキャップ２５の通水穴２５ｃを経て透水層である地層Ｎに浸透される。また、降雨量の増加等により雨水がドレーン本体２２内の上方にまで溜まった場合には、該ドレーン本体２２の上方の通水穴２２ｃ及び被覆材２３の通水隙間を経て透水層である地層Ｎ又は地層Ｌに浸透される。また、雨水桝１内の雨水が上記横板部１３よりも上方に達した場合には、第１のフィルタ部材１２を構成するもう一方の縦板部１４の通水穴１４ａ、第２のフィルタ部材１５を構成するもう一方の被覆材１９の通水隙間（符号は省略する）及び縦フィルタ部１８の通水穴１８ｃを経て、その下方の被覆材１７の通水隙間及び横フィルタ部１６の通水穴１６ｃからドレーン本体２２内に通水され、上記のように地層Ｎ又は地層Ｌに浸透される。なお、雨水桝１内の雨水がさらに増加して、排水管２７の排水穴２７ａに達した場合には、該排水穴２７ａに達した雨水が、該排水穴２７ａから図示しない雨水本管、下水管等に排水され雨水桝１から溢れ出ることが防止される。
【００３８】
そして、雨水桝１内には、第２のフィルタ部材１５を介して第１のフィルタ部材１２が配置されてなることから、雨水桝１内に土砂等が流入し第２のフィルタ部材１５の横フィルタ部１６やドレーン材２１の上方に土砂等が堆積しても、該横フィルタ部１６又はドレーン材２１を閉塞することを防止することができる。すなわち、雨水桝１内に土砂等が流入しても、その土砂等は、前記横フィルタ部１６に直接流入することなく通水穴１３ａを有する第１のフィルタ部材１２の横板部１３上に堆積し、雨水桝１内の雨水は、土砂等が堆積していない第１のフィルタ部材１２の縦板部１４に形成された通水穴１４ａの上部から第２のフィルタ部材１５の縦フィルタ部１８を経てドレーン材２１に通水することから、土砂等により第２のフィルタ部材１５やドレーン材２１への雨水の流入が阻止されることはない。
【００３９】
また、第１のフィルタ部材１２と雨水桝１の底板部２及び側板部３との間には第２のフィルタ部材１５が配置されてなることから、雨水桝１内に集水された雨水は、第２のフィルタ部材１５の被覆材１７及び／又は被覆材１９の微細な通水隙間により微細な土砂や異物を濾過して横フィルタ部１６及び／又は縦フィルタ部１８に通水され、横フィルタ部１６の通水穴１６ｃ及び縦フィルタ部１８の通水穴１８ｃと、ドレーン本体２２の通水穴２２ｃとに土砂や異物が目詰まりして堆積することが防止できる。また、ドレーン材２１の長さが４０ｃｍ以上有してなることから、図１に示すように、雨水桝１が埋設された下層の地層Ｍに粘土層等の不透水層が形成されていても、この不透水層を通過して、その下層に形成された砂質土層等の透水層である地層Ｎにドレーン材２１を埋設することにより、第２のフィルタ部材１５から通水された雨水は、このドレーン材２１によりさらに濾過して地中深く浸透される。
【００４０】
次に、第２の実施の形態に係る雨水桝の施工構造に付いて説明する。この第２の実施の形態に係る雨水桝の施工構造は、図４に示すように、地中に埋設され雨水を集水する雨水桝１と、この雨水桝１の底板部２に挿通されるとともに地中に埋設され雨水を地中に通水するドレーン材２１と、このドレーン材２１の上端部及び下端部を保護するキャップ２４，２５と、上記雨水桝１内の雨水を雨水本管、下水管等に送水する排水管２７と、上記雨水桝１の上端部を覆う上蓋２８とから構成されている。なお、この第２の実施の形態に係る雨水桝の施工構造は、図１ないし図３に示す上記第１の実施の形態に係る雨水桝の施工構造を構成するフィルタ体１１の第１のフィルタ部材１２及び第２のフィルタ部材１５が配置されず、ドレーン材２１の設置位置のみが相違するものであることから、共通する構成要素については同一の符号を付すとともに、詳細な説明は省略する。
【００４１】
上記雨水桝１の底板部２に挿通されるドレーン材２１は、図４に示すように、ドレーン本体２２と該ドレーン本体２２を包むように被覆する被覆材２３とからなり、雨水桝１の底板部２に形成された貫通穴２ａから挿通して、上端部が雨水桝１の底板部２の上面から突出するとともに、その下方部が地中に埋設されている。これらのうち、ドレーン本体２２は、図１（ｃ）に示すように、ポリエチレンを素材として断面円形に形成された網部２２ａと、接続部２２ｂと多数の通水穴２２ｃとが形成されて、全体として円筒状の長さが４０ｃｍ以上に成形されている。なお、このドレーン本体２２の形状は、円筒状に限定されるものではなく、円柱状であっても良い。また、他方の被覆材２３は、前記ドレーン本体２２の通水穴２２ｃよりも微細で通水可能な多数の通水隙間（符号は省略する）を有した不織布によりシート状に形成されてなり、上記ドレーン本体２２の全外周に複数層に亘って包むように被覆されるとともに、端部２３ａが接着されている（図５参照）。また、このドレーン材２１の上端部であって雨水桝１の底板部２の上面から突出した部分には、キャップ２４が装着されるとともに、下端部には、キャップ２５が装着されている。
【００４２】
そして、この第２の実施の形態に係る雨水桝の施工構造では、ドレーン材２１の上端部及びキャップ２４が、雨水桝１の底板部２の上面から突出して配置されていることから、雨水桝１内に土砂等が堆積しても、上記ドレーン材２１の上部には土砂が堆積しないので該ドレーン２１が閉塞されることを防止することができる。したがって、ドレーン材２１が雨水桝１の底板部２の上面から突出する突出量はできるだけ高くすることが好ましい。また、長さが４０ｃｍ以上有してなることから、図４に示すように、雨水桝１が埋設された下層の地層Ｍに粘土層等の不透水層が形成されていても、この不透水層を通過して、その下層に形成された砂質土層等の透水層である地層Ｎにドレーン材２１を埋設することにより、雨水桝１内に集水された雨水は、上記ドレーン材２１を構成するドレーン本体２２の通水穴２２ｃ及び被覆材２３の通水隙間により濾過して地中深く浸透される。したがって、このドレーン材２１の全長はできるだけ長くすることが好ましい。なお、このドレーン材２１の全長の形態は、１本の全長が４０ｃｍ以上に成形されていても良いが、１本の全長が４０ｃｍよりも短くても複数本により４０ｃｍ以上に構成されていれば良い。そして、地中に埋設されるドレーン材２１の全長は、施工される埋設穴Ｈの深さに対応する長さに設定すれば良い。また、複数本のドレーン材２１により構成する場合における継足し部は、接着しても良いし、単に当接させるだけでも良い。
【図面の簡単な説明】
【００４３】
【図１】本発明の第１の実施の形態に係る雨水桝の施工構造を示し、（ａ）は縦断面図、（ｂ）は（ａ）に示すＡ部拡大断面図、（ｃ）は（ａ）に示すＢ部拡大断面図である。
【図２】本発明の第１の実施の形態に係る雨水桝の施工構造を示す横断面図である。
【図３】本発明の第１の実施の形態に係る雨水桝の施工構造を一部破断した斜視図である。
【図４】本発明の第２の実施の形態に係る雨水桝の施工構造を示し、（ａ）は縦断面図、（ｂ）は（ａ）に示すＣ部拡大断面図、（ｃ）は（ａ）に示すＤ部拡大断面図である。
【図５】ドレーン材からキャップを分離した状態を示す斜視図である。
【符号の説明】
【００４４】
１  雨水桝
２  底板部
２ａ  ドレーン穴
３，４，５，６  側板部
１１  フィルタ体
１２  第１のフィルタ部材
１３  横板部
１３ａ  通水穴
１４  縦板部
１４ａ  通水穴
１５  第２のフィルタ部材
１６  横フィルタ部
１６ｃ  通水穴
１７  被覆材
１８  縦フィルタ部
１８ｃ  通水穴
１９  被覆材
２１  ドレーン材
２２  ドレーン本体
２２ｃ  通水穴
２３  被覆材
２４，２５  キャップ
【図１】
0004386952.tif 000002
【図２】
0004386952.tif 000003
【図３】
0004386952.tif 000004
【図４】
0004386952.tif 000005
【図５】
0004386952.tif 000006